(57)【要約】【課題】演者によるライブを端末に配信してユーザが視聴するシステムにおいて、演者とユーザとのインタラクティブな演出を実現することで、ユーザの満足度を向上させることを可能にする。【解決手段】  演者Ｐによるライブを撮影するライブ動画データＭを複数の端末２０に配信する配信システム１０は、ライブ動画データＭを端末２０に配信する配信サーバ１と、ライブ動画データＭを提供し、演者に対する応援アクションの指示を入力可能な複数の端末２０を備える。端末２０は、応援アクションを入力した応援端末２２または応援アクションを入力していない通常端末２１に区別される。通常端末２１において、ライブ動画データＭが提供され、応援端末２２において、ライブ動画データＭと、応援アクションの応答として演者の指示により生成されたフィードバックコンテンツデータＦが提供される。【選択図】      図１
2018110324.tif 000002
【特許請求の範囲】
【請求項１】
演者によるライブを撮影するライブ動画データを複数の端末に配信する配信システムであって、
前記ライブ動画データを前記端末に配信する配信サーバと、
前記ライブ動画データを提供し、前記演者に対する応援アクションの指示を入力可能な複数の端末を備え、
前記端末は、前記応援アクションを入力していない通常端末または前記応援アクションを入力した応援端末であって
前記通常端末において、前記ライブ動画データが提供され、
前記応援端末において、前記ライブ動画データと、前記応援アクションの応答として前記演者の指示により生成されたフィードバックコンテンツデータが提供される
ことを特徴とする配信システム。
【請求項２】
前記配信サーバは、
前記応援端末または前記通常端末の区別を特定する端末属性データを記憶する記憶装置と、
前記端末属性データを参照して、前記通常端末に、前記ライブ動画データを配信し、前記応援端末に、前記ライブ動画データと前記フィードバックコンテンツデータを配信する配信手段を備える
ことを特徴とする請求項１に記載の配信システム。
【請求項３】
前記配信サーバは、
前記端末に、前記ライブ動画データと前記フィードバックコンテンツデータを配信する配信手段を備え、
前記端末は、
前記演者に対する前記応援アクションの指示を入力する応援入力手段と、
前記配信サーバから、前記ライブ動画データと前記フィードバックコンテンツデータを受信し、前記端末が前記通常端末である場合、前記ライブ動画データを提供し、前記応援端末である場合、前記ライブ動画データと前記フィードバックコンテンツデータを提供する提供手段を備える
ことを特徴とする請求項１に記載の配信システム。
【請求項４】
前記フィードバックコンテンツデータは、
前記演者の特定のシーンを含む動画データである
ことを特徴とする請求項１に記載の配信システム。
【請求項５】
前記フィードバックコンテンツデータは、
前記演者の指示により入力された文字データ、画像データ、音声データまたは動画データである
ことを特徴とする請求項１に記載の配信システム。
【請求項６】
前記フィードバックコンテンツデータは、
前記応援端末が参加可能で、前記通常端末が参加不可なバーチャル交流が可能なコンテンツ、または前記応援端末のユーザが利用するＳＮＳにおいて提供される
ことを特徴とする請求項１に記載の配信システム。
【請求項７】
前記配信サーバは、
前記応援端末の識別子を取得する応援取得手段と、
前記応援取得手段が取得した前記応援端末の識別子を、前記演者に提示する提示手段を備え、
前記フィードバックコンテンツデータは、
前記提示手段が、前記応援端末の識別子を前記演者に提示した後に、配信される
ことを特徴とする請求項１または２に記載の配信システム。
【請求項８】
演者によるライブを撮影するライブ動画データを複数の端末に配信する配信システムに用いられる配信サーバであって、
前記配信システムは、
前記ライブ動画データを提供し、前記演者に対する応援アクションの指示を入力可能な複数の端末を備え、
前記端末は、前記応援アクションを入力していない通常端末または前記応援アクションを入力した応援端末であって
前記配信サーバは、
前記応援端末または前記通常端末の区別を特定する端末属性データを記憶する記憶装置と、
前記端末属性データを参照して、前記通常端末に、前記ライブ動画データを配信し、前記応援端末に、前記ライブ動画データと、前記応援アクションの応答としてフィードバックコンテンツデータを配信する配信手段を備える
ことを特徴とする配信サーバ。
【請求項９】
演者によるライブを撮影するライブ動画データを複数の端末に配信する配信システムに用いられる端末であって、
前記配信システムは、
前記端末に、前記ライブ動画データと、応援アクションの応答としてフィードバックコンテンツデータを配信する配信サーバを備え、
前記端末は、
前記演者に対する応援アクションの指示を入力する応援入力手段と、
前記配信サーバから、前記ライブ動画データと前記フィードバックコンテンツデータを受信し、前記応援入力手段によって前記応援アクションの指示が入力されていない場合、前記ライブ動画データを提供し、前記応援入力手段によって前記応援アクションの指示が入力された場合、前記ライブ動画データと前記フィードバックコンテンツデータを提供する提供手段を備える
ことを特徴とする端末。
【請求項１０】
演者によるライブを撮影するライブ動画データを複数の端末に配信する配信システムの端末に用いられるプログラムであって、
前記配信システムは、
前記端末に、前記ライブ動画データと、応援アクションの応答としてフィードバックコンテンツデータを配信する配信サーバを備え、
前記プログラムは、
コンピュータを、
前記演者に対する応援アクションの指示を入力する応援入力手段と、
前記配信サーバから、前記ライブ動画データと前記フィードバックコンテンツデータを受信し、前記応援入力手段によって前記応援アクションの指示が入力されていない場合、前記ライブ動画データを提供し、前記応援入力手段によって前記応援アクションの指示が入力された場合、前記ライブ動画データと前記フィードバックコンテンツデータを提供する提供手段として機能させることを特徴とするプログラム。
【請求項１１】
演者によるライブを撮影するライブ動画データを複数の端末に配信する配信システムであって、
前記ライブの会場に設けられ、前記ライブを動画で撮影する第１のライブ動画データを出力する第１のカメラと、
前記ライブの会場に設けられ、前記演者の特定のシーンを撮影する第２のライブ動画データを出力する第２のカメラと、
前記第１のライブ動画データおよび前記第２のライブ動画データを配信する配信サーバと、
前記演者に対する応援アクションの指示を入力可能な複数の端末を備え、
前記端末は、前記応援アクションを入力していない通常端末または前記応援アクションを入力した応援端末であって、
前記通常端末において、前記第１のライブ動画データが提供され、
前記応援端末において、前記第１のライブ動画データと前記第２のライブ動画データが提供される
ことを特徴とする配信システム。
【請求項１２】
前記配信サーバは、
前記応援端末または前記通常端末の区別を特定する端末属性データを記憶する記憶装置と、
前記端末属性データを参照して、前記通常端末に、前記第１のライブ動画データを配信し、前記応援端末に、前記第１のライブ動画データと前記第２のライブ動画データを配信する配信手段を備える
ことを特徴とする請求項１１に記載の配信システム。
【請求項１３】
前記配信サーバは、
前記端末に、前記第１のライブ動画データと前記第２のライブ動画データを配信する配信手段を備え、
前記端末は、
前記演者に対する前記応援アクションの指示を入力する応援入力手段と、
前記配信サーバから、前記第１のライブ動画データと前記第２のライブ動画データを受信し、前記端末が前記通常端末である場合、前記第１のライブ動画データを提供し、前記応援端末である場合、前記第１のライブ動画データと前記第２のライブ動画データを提供する提供手段を備える
ことを特徴とする請求項１１に記載の配信システム。
【請求項１４】
請求項１２に記載の配信手段または請求項１３に記載の提供手段は、
前記第１のライブ動画データと前記第２のライブ動画データを切り替えて出力し、
前記第２のライブ動画データの所定シーンにおいて、切替開始条件を満たすと、前記第１のライブ動画データから前記第２のライブ動画データに切り替えて出力し、切替終了条件を満たすと、前記第２のライブ動画データから前記第１のライブ動画データに切り替えて出力する
ことを特徴とする請求項１２または１３に記載の配信システム。
【請求項１５】
前記切替開始条件は、前記演者の目線の検知で、
前記切替終了条件は、前記演者の目線が外れたことの検知である
ことを特徴とする請求項１４に記載の配信システム。
【請求項１６】
前記切替開始条件は、所定のフレームにおいて、所定割合以上で前記演者が撮影されたことの検知で、
前記切替開始条件は、所定のフレームにおいて、所定割合以下で前記演者が撮影されたことの検知である
ことを特徴とする請求項１４に記載の配信システム。
【請求項１７】
前記切替開始条件は、前記演者のパフォーマンスに関する曲の所定のフレーズが出力されたことの検知で、
前記切替開始条件は、前記所定のフレーズが終了したことの検知である
ことを特徴とする請求項１４に記載の配信システム。
【請求項１８】
演者によるライブを撮影するライブ動画データを複数の端末に配信する配信システムに用いられる配信サーバであって、
前記配信システムは、
前記ライブの会場に設けられ、前記ライブを動画で撮影する第１のライブ動画データを出力する第１のカメラと、
前記ライブの会場に設けられ、前記演者の特定のシーンを撮影する第２のライブ動画データを出力する第２のカメラと、
前記第１のライブ動画データおよび前記第２のライブ動画データを配信する配信サーバと、
前記第１のライブ動画データを提供し、前記演者に対する応援アクションの指示を入力可能な複数の端末を備え、
前記端末は、前記応援アクションを入力していない通常端末または前記応援アクションを入力した応援端末であって、
前記配信サーバは、
前記応援端末または前記通常端末の区別を特定する端末属性データを記憶する記憶装置と、
前記端末属性データを参照して、前記通常端末に、前記第１のライブ動画データを配信し、前記応援端末に、前記第１のライブ動画データと、前記第２のライブ動画データを配信する配信手段を備える
ことを特徴とする配信サーバ。
【請求項１９】
演者によるライブを撮影するライブ動画データを複数の端末に配信する配信システムに用いられる端末であって、
前記配信システムは、
前記ライブの会場に設けられ、前記ライブを動画で撮影する第１のライブ動画データを出力する第１のカメラと、
前記ライブの会場に設けられ、前記演者の特定のシーンを撮影する第２のライブ動画データを出力する第２のカメラと、
前記第１のライブ動画データおよび前記第２のライブ動画データを配信する配信サーバを備え、
前記端末は、
前記演者に対する応援アクションの指示を入力する応援入力手段と、
前記配信サーバから、前記第１のライブ動画データと前記第２のライブ動画データを受信し、前記応援入力手段によって前記応援アクションの指示が入力されていない場合、前記第１のライブ動画データを提供し、前記応援入力手段によって前記応援アクションの指示が入力された場合、前記第１のライブ動画データと前記第２のライブ動画データを提供する提供手段を備える
ことを特徴とする端末。
【請求項２０】
演者によるライブを撮影するライブ動画データを複数の端末に配信する配信システムの端末に用いられるプログラムであって、
前記配信システムは、
前記ライブの会場に設けられ、前記ライブを動画で撮影する第１のライブ動画データを出力する第１のカメラと、
前記ライブの会場に設けられ、前記演者の特定のシーンを撮影する第２のライブ動画データを出力する第２のカメラと、
前記第１のライブ動画データおよび前記第２のライブ動画データを配信する配信サーバを備え、
前記プログラムは、
コンピュータを、
前記演者に対する応援アクションの指示を入力する応援入力手段と、
前記配信サーバから、前記第１のライブ動画データと前記第２のライブ動画データを受信し、前記応援入力手段によって前記応援アクションの指示が入力されていない場合、前記第１のライブ動画データを提供し、前記応援入力手段によって前記応援アクションの指示が入力された場合、前記第１のライブ動画データと前記第２のライブ動画データを提供する提供手段として機能させることを特徴とするプログラム。
【発明の詳細な説明】
【技術分野】
【０００１】
本発明は、演者によるライブを撮影するライブ動画データを複数の端末に配信する配信システム、配信システムに用いられる配信サーバ、端末およびプログラムに関する。
【背景技術】
【０００２】
ライブ会場におけるライブをインターネット等の通信ネットワークを介して、リアルタイム中継することにより、ライブ動画を共有するサービスが知られている。ライブ動画を共有するサービスでは、ライブ会場外の端末で共有したり、個人宅等において撮影された動画をライブストリーミングでユーザの端末で共有したりすることが可能である。
【０００３】
ライブ会場における生放送配信において、ライブ会場に設置された大型スクリーンに、ライブストリーミングのユーザが送ったコメントが表示される演出や、個人宅等で撮影された動画に対してユーザが送ったコメントが表示される演出がある。また、ユーザが送信したコメントを、演者が読み上げる演出もある。これらの演出を通じて、ネットユーザも間接的にライブに参加している擬似体験を得ることが可能になる。
【０００４】
また、テレビ番組といったコンテンツを視聴しながら、ユーザが応援操作を行い、その操作結果を表示するシステムがある（例えば、特許文献１参照）。
【先行技術文献】
【特許文献】
【０００５】
【特許文献１】特開２００９−２８２６９７号公報
【発明の概要】
【発明が解決しようとする課題】
【０００６】
しかしながら、自宅等でライブ動画を視聴するユーザにとっては、ユーザとライブ演者とのコミュニケーションが十分でなく、ユーザがライブ動画で十分な満足度を得られない場合がある。
【０００７】
例えば、ライブ会場でライブを視聴するユーザは、派手なうちわや横断幕などの応援グッズを用意して演者にアピールすることにより、演者が応援グッズに目に留めたり、演者がその応援グッズに言及したりする場合がある。ライブ会場でライブを視聴するユーザは、このような演者とユーザとのインタラクティブなやりとりにより、「演者がユーザを認知してくれた」という満足感を得ることが可能である。
【０００８】
一方、ライブ動画を自宅等で視聴する場合、ユーザによる演者へのアピールは限定的であり、演者がユーザを認知することが難しい問題がある。特にライブ動画の配信においては、ユーザが多く、演者が個々のユーザに対して働きかけをすることは難しい。例えば、ユーザがコメント等を送り、そのコメントが表示されたとしても、演者が特定のユーザに対して働きかけをすることが難しく、ユーザは、十分な満足感を得られない。また演者がいくつかのコメントを読み上げたとしても、コメントが読み上げられなかった多くのユーザは、十分な満足感を得られない。
【０００９】
また上記特許文献１に記載のシステムは、ユーザによる応援操作の結果が表示されるものの、ユーザによる応援操作は、いわば、ユーザ間の交流に留まり、演者に届くものではなく、ユーザとライブ演者とのコミュニケーションを実現するものではない。
【００１０】
このように、従来のライブ動画の配信において、演者とユーザとのインタラクティブな演出により、多くのユーザが満足できない場合がある。
【００１１】
そこで本発明の目的は、演者によるライブを端末に配信してユーザが視聴するシステムにおいて、演者とユーザとのインタラクティブな演出を実現することで、ユーザの満足度を向上させることを可能にする配信システム、配信サーバ、端末およびプログラムを提供することである。
【課題を解決するための手段】
【００１２】
上記課題を解決するために、本発明の第１の特徴は、演者によるライブを撮影するライブ動画データを複数の端末に配信する配信システムに関する。第１の特徴に関する配信システムは、ライブ動画データを端末に配信する配信サーバと、ライブ動画データを提供し、演者に対する応援アクションの指示を入力可能な複数の端末を備える。端末は、応援アクションを入力していない通常端末または応援アクションを入力した応援端末であって通常端末において、ライブ動画データが提供され、応援端末において、ライブ動画データと、応援アクションの応答として演者の指示により生成されたフィードバックコンテンツデータが提供される。
【００１３】
配信サーバは、応援端末または通常端末の区別を特定する端末属性データを記憶する記憶装置と、端末属性データを参照して、通常端末に、ライブ動画データを配信し、応援端末に、ライブ動画データとフィードバックコンテンツデータを配信する配信手段を備えても良い。
【００１４】
配信サーバは、端末に、ライブ動画データとフィードバックコンテンツデータを配信する配信手段を備え、端末は、演者に対する応援アクションの指示を入力する応援入力手段と、配信サーバから、ライブ動画データとフィードバックコンテンツデータを受信し、端末が通常端末である場合、ライブ動画データを提供し、応援端末である場合、ライブ動画データとフィードバックコンテンツデータを提供する提供手段を備えても良い。
【００１５】
フィードバックコンテンツデータは、演者の特定のシーンを含む動画データであっても良い。
【００１６】
フィードバックコンテンツデータは、演者の指示により入力された文字データ、画像データ、音声データまたは動画データであっても良い。
【００１７】
フィードバックコンテンツデータは、応援端末が参加可能で、通常端末が参加不可なバーチャル交流が可能なコンテンツ、または応援端末のユーザが利用するＳＮＳにおいて提供されても良い。
【００１８】
配信サーバは、応援端末の識別子を取得する応援取得手段と、応援取得手段が取得した応援端末の識別子を、演者に提示する提示手段を備え、フィードバックコンテンツデータは、提示手段が、応援端末の識別子を演者に提示した後に、配信されても良い。
【００１９】
本発明の第２の特徴は、演者によるライブを撮影するライブ動画データを複数の端末に配信する配信システムに用いられる配信サーバに関する。配信システムは、ライブ動画データを提供し、演者に対する応援アクションの指示を入力可能な複数の端末を備え、端末は、応援アクションを入力していない通常端末または応援アクションを入力した応援端末である。本発明の第２の特徴に係る配信サーバは、応援端末または通常端末の区別を特定する端末属性データを記憶する記憶装置と、端末属性データを参照して、通常端末に、ライブ動画データを配信し、応援端末に、ライブ動画データと、応援アクションの応答としてフィードバックコンテンツデータを配信する配信手段を備える。
【００２０】
本発明の第３の特徴は、演者によるライブを撮影するライブ動画データを複数の端末に配信する配信システムに用いられる端末に関する。配信システムは、端末に、ライブ動画データと、応援アクションの応答としてフィードバックコンテンツデータを配信する配信サーバを備える。本発明の第３の特徴に係る端末は、演者に対する応援アクションの指示を入力する応援入力手段と、配信サーバから、ライブ動画データとフィードバックコンテンツデータを受信し、応援入力手段によって応援アクションの指示が入力されていない場合、ライブ動画データを提供し、応援入力手段によって応援アクションの指示が入力された場合、ライブ動画データとフィードバックコンテンツデータを提供する提供手段を備える。
【００２１】
本発明の第４の特徴は、演者によるライブを撮影するライブ動画データを複数の端末に配信する配信システムの端末に用いられるプログラムに関する。配信システムは、端末に、ライブ動画データと、応援アクションの応答としてフィードバックコンテンツデータを配信する配信サーバを備える。本発明の第４の特徴に係るプログラムは、コンピュータを、演者に対する応援アクションの指示を入力する応援入力手段と、配信サーバから、ライブ動画データとフィードバックコンテンツデータを受信し、応援入力手段によって応援アクションの指示が入力されていない場合、ライブ動画データを提供し、応援入力手段によって応援アクションの指示が入力された場合、ライブ動画データとフィードバックコンテンツデータを提供する提供手段として機能させる。
【００２２】
本発明の第５の特徴は、演者によるライブを撮影するライブ動画データを複数の端末に配信する配信システムに関する。第５の特徴に係る配信システムは、ライブの会場に設けられ、ライブを動画で撮影する第１のライブ動画データを出力する第１のカメラと、
ライブの会場に設けられ、演者の特定のシーンを撮影する第２のライブ動画データを出力する第２のカメラと、第１のライブ動画データおよび第２のライブ動画データを配信する配信サーバと、演者に対する応援アクションの指示を入力可能な複数の端末を備える。端末は、応援アクションを入力していない通常端末または応援アクションを入力した応援端末であって、通常端末において、第１のライブ動画データが提供され、応援端末において、第１のライブ動画データと第２のライブ動画データが提供される。
【００２３】
配信サーバは、応援端末または通常端末の区別を特定する端末属性データを記憶する記憶装置と、端末属性データを参照して、通常端末に、第１のライブ動画データを配信し、応援端末に、第１のライブ動画データと第２のライブ動画データを配信する配信手段を備えても良い。
【００２４】
配信サーバは、端末に、第１のライブ動画データと第２のライブ動画データを配信する配信手段を備え、端末は、演者に対する応援アクションの指示を入力する応援入力手段と、配信サーバから、第１のライブ動画データと第２のライブ動画データを受信し、端末が通常端末である場合、第１のライブ動画データを提供し、応援端末である場合、第１のライブ動画データと第２のライブ動画データを提供する提供手段を備えても良い。
【００２５】
配信手段または提供手段は、第１のライブ動画データと第２のライブ動画データを切り替えて出力し、第２のライブ動画データの所定シーンにおいて、切替開始条件を満たすと、第１のライブ動画データから第２のライブ動画データに切り替えて出力し、切替終了条件を満たすと、第２のライブ動画データから第１のライブ動画データに切り替えて出力しても良い。
【００２６】
切替開始条件は、演者の目線の検知で、切替終了条件は、演者の目線が外れたことの検知であっても良い。
【００２７】
切替開始条件は、所定のフレームにおいて、所定割合以上で演者が撮影されたことの検知で、切替開始条件は、所定のフレームにおいて、所定割合以下で演者が撮影されたことの検知であっても良い。
【００２８】
切替開始条件は、演者のパフォーマンスに関する曲の所定のフレーズが出力されたことの検知で、切替開始条件は、所定のフレーズが終了したことの検知であっても良い。
【００２９】
本発明の第６の特徴は、演者によるライブを撮影するライブ動画データを複数の端末に配信する配信システムに用いられる配信サーバに関する。配信システムは、ライブの会場に設けられ、ライブを動画で撮影する第１のライブ動画データを出力する第１のカメラと、ライブの会場に設けられ、演者の特定のシーンを撮影する第２のライブ動画データを出力する第２のカメラと、第１のライブ動画データおよび第２のライブ動画データを配信する配信サーバと、第１のライブ動画データを提供し、演者に対する応援アクションの指示を入力可能な複数の端末を備え、端末は、応援アクションを入力していない通常端末または応援アクションを入力した応援端末である。第６の特徴に係る配信サーバは、応援端末または通常端末の区別を特定する端末属性データを記憶する記憶装置と、端末属性データを参照して、通常端末に、第１のライブ動画データを配信し、応援端末に、第１のライブ動画データと、第２のライブ動画データを配信する配信手段を備える。
【００３０】
本発明の第７の特徴は、演者によるライブを撮影するライブ動画データを複数の端末に配信する配信システムに用いられる端末に関する。配信システムは、ライブの会場に設けられ、ライブを動画で撮影する第１のライブ動画データを出力する第１のカメラと、ライブの会場に設けられ、演者の特定のシーンを撮影する第２のライブ動画データを出力する第２のカメラと、第１のライブ動画データおよび第２のライブ動画データを配信する配信サーバを備える。本発明の第７の特徴に係る端末は、演者に対する応援アクションの指示を入力する応援入力手段と、配信サーバから、第１のライブ動画データと第２のライブ動画データを受信し、応援入力手段によって応援アクションの指示が入力されていない場合、第１のライブ動画データを提供し、応援入力手段によって応援アクションの指示が入力された場合、第１のライブ動画データと第２のライブ動画データを提供する提供手段を備える。
【００３１】
本発明の第８の特徴は、演者によるライブを撮影するライブ動画データを複数の端末に配信する配信システムの端末に用いられるプログラムに関する。配信システムは、ライブの会場に設けられ、ライブを動画で撮影する第１のライブ動画データを出力する第１のカメラと、ライブの会場に設けられ、演者の特定のシーンを撮影する第２のライブ動画データを出力する第２のカメラと、第１のライブ動画データおよび第２のライブ動画データを配信する配信サーバを備える。本発明の第８の特徴に係るプログラムは、コンピュータを、演者に対する応援アクションの指示を入力する応援入力手段と、配信サーバから、第１のライブ動画データと第２のライブ動画データを受信し、応援入力手段によって応援アクションの指示が入力されていない場合、第１のライブ動画データを提供し、応援入力手段によって応援アクションの指示が入力された場合、第１のライブ動画データと第２のライブ動画データを提供する提供手段として機能させる。
【発明の効果】
【００３２】
本発明によれば、演者によるライブを端末に配信してユーザが視聴するシステムにおいて、演者とユーザとのインタラクティブな演出を実現することで、ユーザの満足度を向上させることを可能にする配信システム、配信サーバ、端末およびプログラムを提供することができる。
【図面の簡単な説明】
【００３３】
【図１】本発明の第１の実施の形態に係る配信システムのシステム構成を説明する図である。
【図２】本発明の第１の実施の形態に係る配信方法を説明するシーケンス図である。
【図３】本発明の第１の実施の形態に係る配信システムにおいて、通常端末に表示される画面の一例を説明する図である。
【図４】本発明の第１の実施の形態に係る配信システムにおいて、応援端末に表示される画面の一例を説明する図である。
【図５】本発明の第１の実施の形態に係る配信サーバのハードウエア構成および機能ブロックを説明する図である。
【図６】本発明の第１の実施の形態に係る配信サーバの端末属性データのデータ構造およびデータの一例を説明する図である。
【図７】本発明の第１の実施の形態に係る配信サーバのフィードバックコンテンツ配信処理を説明するフローチャートである。
【図８】本発明の第１の実施の形態に係る端末のハードウエア構成および機能ブロックを説明する図である。
【図９】本発明の第１の実施の形態の変形例に係る配信方法を説明するシーケンス図である。
【図１０】本発明の第１の実施の形態の変形例に係る配信サーバのハードウエア構成および機能ブロックを説明する図である。
【図１１】本発明の第１の実施の形態の変形例に係る端末のハードウエア構成および機能ブロックを説明する図である。
【図１２】本発明の第１の実施の形態の変形例に係る端末の提供処理を説明するフローチャートである。
【図１３】本発明の第２の実施の形態に係る配信システムのシステム構成を説明する図である。
【図１４】本発明の第２の実施の形態に係る配信システムにおける動画データを説明する図である。
【図１５】本発明の第２の実施の形態に係る配信方法を説明するシーケンス図である。
【図１６】本発明の第２の実施の形態に係る配信サーバのハードウエア構成および機能ブロックを説明する図である。
【図１７】本発明の第２の実施の形態に係る配信サーバのフィードバック動画配信処理を説明するフローチャートである。
【図１８】本発明の第２の実施の形態に係る端末のハードウエア構成および機能ブロックを説明する図である。
【図１９】本発明の第２の実施の形態の変形例に係る配信システムにおける動画データを説明する図である。
【図２０】本発明の第２の実施の形態の変形例に係る配信方法を説明するシーケンス図である。
【図２１】本発明の第２の実施の形態の変形例に係る配信サーバのハードウエア構成および機能ブロックを説明する図である。
【図２２】本発明の第２の実施の形態の変形例に係る端末のハードウエア構成および機能ブロックを説明する図である。
【図２３】本発明の第２の実施の形態の変形例に係る配信サーバのフィードバック動画配信処理を説明するフローチャートである。
【図２４】本発明の第３の実施の形態に係る配信システムのシステム構成を説明する図である。
【図２５】本発明の第３の実施の形態に係る配信システムのライブ演者端末の表示装置の一例を説明する図である。
【図２６】本発明の第３の実施の形態の変形例に係る配信システムのライブ演者端末の表示装置の一例を説明する図である。
【発明を実施するための形態】
【００３４】
次に、図面を参照して、本発明の第１の実施の形態を説明する。以下の図面の記載において、同一または類似の部分には同一または類似の符号を付している。
【００３５】
（第１の実施の形態）
（配信システム）
図１を参照して、本発明の第１の実施の形態に係る配信システム１０を説明する。配信システム１０は、演者Ｐによるライブを撮影するライブ動画データを複数の端末２０に配信する。配信システム１０は、ライブ会場Ｌに設けられるライブ会場システム８と、ライブ会場システム８と通信ネットワーク９を介して接続される複数の端末２０とを備える。通信ネットワーク９は、インターネット等の相互に通信可能なネットワークである。
【００３６】
ライブ会場システム８は、ライブ動画データＭを端末２０に配信する配信サーバ１と、ライブ動画データＭを撮影するカメラ５と、演者Ｐに情報を提示する表示装置７を備える。ライブ会場システム８は、ライブ会場Ｌにおける演者Ｐによるパフォーマンスを、カメラ５で撮影し、撮影したライブ動画データＭを、配信サーバ１から複数の端末２０に配信する。このとき配信サーバ１は、例えば、ストリーミング形式でライブ動画データＭを配信する。
【００３７】
端末２０は、端末２０のユーザに、ライブ会場システム８から配信されたライブ動画データＭを提供する。また端末２０は、ユーザの操作によって、演者Ｐに対する応援アクションの指示を入力可能である。なお、図１に示す端末２０の数は、一例である。
【００３８】
ここで、ライブ会場システム８の複数の端末２０は、応援アクションを入力した応援端末２２と、応援アクションを入力していない通常端末２１に区別される。通常端末２１において、ライブ動画データＭが提供され、応援端末２２において、ライブ動画データＭと、フィードバックコンテンツデータＦが提供される。本発明の実施の形態において、通常端末２１を利用するユーザを通常ユーザと称し、応援端末２２を利用するユーザを応援ユーザと称する。
【００３９】
図２を参照して、本発明の第１の実施の形態における配信処理を説明する。図２のステップＳ１１１ないしステップＳ１１３において、応援アクションを入力していない通常端末２１に関する処理を説明し、ステップＳ１２１ないしステップＳ１２６において、応援アクションを入力した応援端末２２に関する処理を説明する。
【００４０】
ステップＳ１１１において配信サーバ１は、送信先の端末２０で、応援アクションが行われたか否かを判定する。ここでは、応援アクションを入力していない通常端末２１の処理を説明するので、送信先の端末２０（通常端末２１）で応援アクションが入力されていないと判定する。ステップＳ１１２において配信サーバ１は、通常端末２１に向けてライブ動画データＭを逐次配信する。
【００４１】
ステップＳ１１３において通常端末２１は、ライブ動画データＭを逐次受信して再生することで、通常ユーザにライブ動画データＭを提供する。
【００４２】
端末２０（応援端末２２）において、応援ユーザが応援アクションを入力すると、ステップＳ１２１において、その情報が配信サーバ１に送信される。ステップＳ１２２において配信サーバ１は、応援端末２２において応援アクションが行われたことを、後述の端末属性データ１１１に記録する。
【００４３】
ステップＳ１２３において配信サーバ１は、送信先の端末２０で、応援アクションが行われたか否かを判定する。ここでは、応援アクションを入力した応援端末２２の処理を説明するので、送信先の端末２０（応援端末２２）で応援アクションが入力されたと判定する。ステップＳ１２４において配信サーバ１は、応援端末２２に向けてライブ動画データＭを逐次配信する。さらにステップＳ１２５において配信サーバ１は、応援端末２２に向けてフィードバックコンテンツデータＦを配信する。
【００４４】
ステップＳ１２６において応援端末２２は、ライブ動画データＭを逐次受信して再生することで、応援ユーザにライブ動画データＭを提供する。さらに応援端末２２は、フィードバックコンテンツデータＦを受信して処理し、応援ユーザにフィードバックコンテンツを提供する。
【００４５】
本発明の第１の実施の形態において「応援アクション」は、通信ネットワーク９を介して、演者Ｐのライブ動画データＭを視聴しているユーザが、演者Ｐに対する応援をアピールするための端末２０での入力指示である。端末２０で、応援アクションの入力指示がなされると、端末２０で入力指示がなされたことが、配信サーバ１に通知される。応援アクションは、例えば、図３に示すように、端末２０においてライブ動画データＭを表示する画面において設けられる「応援うちわボタン」の押下である。「応援うちわボタン」が押下されると、この端末２０において応援うちわボタンが押下されたことたことが端末２０から配信サーバ１に送信される。配信サーバ１は、応援うちわボタンが押下されたことと、この端末２０の識別子を対応づけて保持する。
【００４６】
応援アクションは、演者Ｐによるパフォーマンス前に行われても良いし、演者Ｐによるパフォーマンス中に行われても良い。また、応援アクションは、図４に示すように、複数回行われ、所定のユーザによって複数の応援アクションが行われた場合、その応援アクションの回数によってフィードバックコンテンツデータＦの種類や内容が変更されても良い。また応援アクションの実行に際しては、課金が発生しても良い。
【００４７】
フィードバックコンテンツデータＦは、応援アクションの応答として演者Ｐの指示により生成されたデータであって、応援ユーザが応援したことの見返りを、演者Ｐから受けていると感じることのできるコンテンツデータである。ユーザが、演者Ｐに対する応援をアピールするために応援アクションを行ったことに対し、応援アクションを行ったユーザに対して、演者Ｐが謝意を示すために、フィードバックコンテンツデータＦが提供される。
【００４８】
フィードバックコンテンツデータＦは、例えば、演者Ｐの特定のシーンを含む動画データであって、ライブ動画データＭとともに、ストリーミング形式で配信されても良い。演者Ｐの特定のシーンとは、演者の指示（動作）により生成されるシーンであって、演者Ｐのアップやカメラ目線のシーンや、特定の曲の特定のフレーズであっても良い。例えば、ライブ参加者等に演者Ｐが合いの手を働きかける特定のフレーズがある場合、この特定のフレーズにおいて演者Ｐが合いの手を働きかけているシーンが、フィードバックコンテンツとして応援ユーザに提供される。
【００４９】
フィードバックコンテンツデータＦは、演者Ｐの指示により入力された文字データ、画像データ、音声データまたは動画データであっても良い。例えば、演者Ｐがライブ会場Ｌ内に設置された所定のボタンを押下したり、マイクに設けられたボタンを押下したりすると、その演者Ｐによるボタン押下の情報が配信サーバ１に通知される。配信サーバ１は、このボタン押下の情報により、演者Ｐの指示があったと見なして、演者の画像データや、「応援ありがとう」などの文字によるコメントデータを、応援端末２２に提供する。また、演者Ｐが、特定のセリフを話す、または特定のカメラに対してウィンクすることを検知すると、配信サーバ１は、演者Ｐの指示があったと見なして、画像データやコメントデータを、応援端末２２に提供する。また、画像データとして、演者Ｐの静止画像、スタンプやアイコンを送信しても良い。また動画データとして、ライブ中の動画データに限らず、予め撮影され保存された動画データを送信しても良い。
【００５０】
フィードバックコンテンツデータＦは、応援端末２２が参加可能で、通常端末２１が参加不可なバーチャル交流が可能なコンテンツ、または応援端末２２のユーザが利用するＳＮＳにおいて提供されても良い。例えば、通常端末２１で入力されたコメントと、応援端末２２で入力されたコメントとを、それぞれ分けて表示する場合、フィードバックコンテンツデータＦは、応援端末２２が入力したコメントが表示される表示部において、提供されても良い。また、フィードバックコンテンツデータＦは、応援端末２２そのものに送信されても良いし、応援ユーザが利用する応援端末２２以外の端末に配信されても良い。例えば、応援ユーザは、ライブ動画データＭをパソコンなどの表示画面の大きい端末で参照し、コメントデータは、応援ユーザが利用するＳＮＳ（Social Networking Service）経由で配信され、応援ユーザは、スマートフォンなどの端末で、このコメントデータを参照しても良い。この場合、配信サーバ１は、応援ユーザの識別子に、ＳＮＳにおけるアカウントをさらに対応づけて保持しても良い。
【００５１】
フィードバックコンテンツデータＦが、演者Ｐの画像データである場合、画像データは、コメントの表示部で提供されても良いし、ＳＮＳ経由で配信されても良い。
【００５２】
ライブ会場システム８において、配信サーバ１は、応援端末２２の識別子を取得し、表示装置７に配信サーバ１が取得した応援端末２２の識別子を表示して、演者に提示しても良い。ここで、表示装置７に応援端末２２の識別子が表示された後に、より具体的には、演者Ｐが応援端末２２の識別子を把握した後に、フィードバックコンテンツデータＦが応援端末２２に配信されるように制御される。
【００５３】
本発明の実施の形態においては、配信サーバ１が演者Ｐの指示を検知して、フィードバックコンテンツデータＦを応援端末２２に配信する場合を説明するが、これに限られない。例えば、オペレータが演者Ｐの指示を検知して、オペレータが、配信サーバ１に、フィードバックコンテンツデータＦを応援端末２２に配信する指示を入力しても良い。
【００５４】
図３および図４を参照して、本発明の第１の実施の形態に係る端末２０で表示される画面の一例を説明する。
【００５５】
図３は、応援アクションを行っていない通常端末２１の表示装置１６０の画面例で、通常端末２１のスクリーンＧａは、配信動画再生部Ｇａ１、通常端末向けコメント入力部Ｇａ２、および通常端末向けコメント表示部Ｇａ３を備える。図４は、応援アクションを行った応援端末２２の表示装置１６０の画面例で、応援端末２２のスクリーンＧｂは、配信動画再生部Ｇｂ１、応援端末向けコメント入力部Ｇｂ２、および応援端末向けコメント表示部Ｇｂ３を備える。
【００５６】
配信動画再生部Ｇａ１およびＧｂ１において、配信サーバ１が配信したライブ動画データＭが再生される。
【００５７】
通常端末向けコメント表示部Ｇａ３は、応援アクションを行っていない端末２０の通常端末向けコメント入力部Ｇａ２において入力されたコメントが表示される。通常端末向けコメント表示部Ｇａ３において、通常ユーザが、演者Ｐのパフォーマンスの感想を述べたり、通常ユーザ同士が交流したりすることができる。
【００５８】
応援端末向けコメント表示部Ｇｂ３は、応援アクションを行った端末２０の応援端末向けコメント入力部Ｇｂ２において入力されたコメントが表示される。応援端末向けコメント表示部Ｇｂ３において、応援ユーザが、演者Ｐのパフォーマンスの感想を述べたり、応援ユーザ同士が交流したりすることができる。
【００５９】
通常端末２１には、応援アクションを配信サーバ１に通知するための応援入力ボタンＧａ４が設けられる。応援端末２２には、応援入力ボタンは設けられないものの、応援アクションの後にさらに応援をするための再応援入力ボタンＧｂ４が設けられる。
【００６０】
フィードバックコンテンツデータＦがコメントデータの場合、例えば図４に示すように、応援端末向けコメント表示部Ｇｂ３に、演者のコメントが表示されても良いし、応援端末２２の配信動画再生部Ｇｂ１に、ライブ動画データＭにコメントが重畳されて表示されても良い。ライブ動画データＭに重畳されたコメントが、左から右、または右から左に流れるような演出がなされても良い。フィードバックコンテンツデータＦが、演者Ｐの特定のシーンを含む動画データの場合、応援端末２２の配信動画再生部Ｇｂ１において、ライブ動画データＭの代わりに提供されても良いし、ライブ動画データＭとフィードバックコンテンツデータＦの動画データの両方が同時に提供されても良い。フィードバックコンテンツデータＦが、演者Ｐの画像データの場合、応援端末向けコメント表示部Ｇｂ３や応援ユーザのＳＮＳに提供されても良い。
【００６１】
（配信サーバ）
図５を参照して、本発明の第１の実施の形態に係る配信サーバ１を説明する。配信サーバ１は、記憶装置１１０、処理装置１２０、通信制御装置１４０、入力装置１５０および出力装置１６０を備える一般的なコンピュータである。配信サーバ１は、一般的なコンピュータが所定の機能を実現するためのプログラムを実行することにより、図５に示す各機能が実装される。
【００６２】
記憶装置１１０は、処理装置１２０が参照または出力するデータを記憶する記憶媒体であって、具体的には、ＲＯＭ（Read Only Memory）、ＲＡＭ（Random Access Memory）、ハードディスク等である。処理装置１２０は、配信サーバ１の処理を実行する装置であって、具体的には、ＣＰＵ（Central Processing Unit）である。
【００６３】
通信制御装置１４０は、配信サーバ１が通信ネットワーク９等に接続するためのインタフェースである。入力装置１５０は、配信サーバ１にデータを入力するためのインタフェースであって、具体的には、キーボード、マウス等である。入力装置１５０は、さらにカメラ５から入力されるデータを処理装置１２０に入力するインタフェースとして機能する。出力装置１６０は、配信サーバ１のデータを出力するためのインタフェースであって、具体的には、表示装置である。また表示装置１６０は、さらに、表示装置７に出力するためのインタフェースとして機能する。
【００６４】
記憶装置１１０は、端末属性データ１１１、ライブ動画データＭおよびフィードバックコンテンツデータＦを記憶する。
【００６５】
端末属性データ１１１は、応援端末２２または通常端末２１の区別を特定する。端末属性データ１１１は、図６に示すように、端末識別子と、応援アクションの有無と、ＳＮＳアカウントとを対応づけるデータである。
【００６６】
端末識別子は、ライブ会場Ｌにおけるライブ動画データＭの配信先の端末の識別子であって、通常端末２１および応援端末２２の両方の端末２０の識別子が設定される。端末識別子は、ライブ動画データＭの配信先を特定するためのＩＰアドレスおよびポート番号である。端末識別子はさらに、演者Ｐに応援端末２２の一覧を表示するための応援ユーザのニックネーム等を含んでも良い。
【００６７】
応援アクションの有無は、各端末において、応援アクションが行われたか否かを示す。応援アクションの有無欄に、応援端末２２の識別子に対しては、ＹＥＳが対応づけられ、通常端末２１の識別子に対してはＮＯが対応づけられる。
【００６８】
ＳＮＳアカウントは、フィードバックコンテンツを、ＳＮＳ経由で提供する場合に必要になる。配信サーバ１は、応援アクションがＹＥＳに対応づけられたＳＮＳアカウントに、フィードバックコンテンツを提供する。
【００６９】
ここで、応援端末２２において更なる応援アクションが入力可能な場合、端末識別子に、応援アクションの回数もさらに対応づけられても良い。
【００７０】
ライブ動画データＭは、カメラ５によって撮影されたライブ会場Ｌにおける演者Ｐのパフォーマンスを撮影したデータである。なお、図１においては、ライブ会場システム８において１台のカメラ５のみを備えるが、複数のカメラ５により、ライブ動画データＭを生成しても良い。
【００７１】
フィードバックコンテンツデータＦは、応援端末２２に対して提供され、通常端末２１には提供されないデータである。フィードバックコンテンツデータＦは、上述するように、動画データでもよいし、静止画の画像データでも良いし、コメントの情報を含むデータであっても良い。
【００７２】
処理装置１２０は、応援取得手段１２１、配信手段１２２および提示手段１２６を備える。
【００７３】
応援取得手段１２１は、端末２０において応援アクションがなされた旨が通知されると、応援アクションがなされたことを、端末属性データ１１１に記憶する。具体的には応援取得手段１２１は、「端末識別子」に、応援アクションがなされた端末の端末識別子を設定し、「応援アクションの有無」にＹＥＳを対応づけて、端末属性データ１１１を更新する。ここで、図４に示すように、応援端末２２において再応援入力ボタンＧｂ４が設けられる場合、応援取得手段１２１は、端末２０における再応援入力ボタンＧｂ４の押下回数をカウントし、端末属性データ１１１に、再応援入力ボタンＧｂ４の押下回数も対応づけて保持する。
【００７４】
配信手段１２２は、端末属性データ１１１を参照して、通常端末２１に、ライブ動画データＭを配信し、応援端末２２に、ライブ動画データＭとフィードバックコンテンツデータＦを配信する。配信手段１２２は、判定手段１２３、ライブ動画配信手段１２４およびフィードバックコンテンツ配信手段１２５を備える。
【００７５】
判定手段１２３は、配信先の端末２０が、通常端末２１であるか、応援端末２２であるかを判定し、その判定結果に従って、配信するコンテンツを制御する。判定手段１２３は、ライブ動画配信手段１２４に、通常端末２１および応援端末２２の端末識別子を入力する。判定手段１２３は、フィードバックコンテンツ配信手段１２５に、応援端末２２の端末識別子を入力する。
【００７６】
ここで、複数回の応援アクションが可能な場合、応援アクションの回数に応じて、配信するフィードバックコンテンツの種類や内容を変更するように制御されても良い。複数回の応援アクションが可能な場合、応援アクションの回数とそれに対応するフィードバックコンテンツの種別とを対応づけたテーブルを参照して、フィードバックコンテンツ配信手段１２５に、端末識別子と、当該端末に提供するフィードバックコンテンツの種別を対応づけたデータを、入力する。
【００７７】
ライブ動画配信手段１２４は、通常端末２１および応援端末２２にライブ動画データＭを配信する。
【００７８】
フィードバックコンテンツ配信手段１２５は、応援端末２２に、フィードバックコンテンツデータＦを配信する。ここでフィードバックコンテンツデータの内容に応じて、動画データをストリーミング形式で配信したり、応援端末向けコメントとして配信したり、応援ユーザのＳＮＳアカウントに配信したりする。ここで、フィードバックコンテンツ配信手段１２５は、判定手段１２３によって指示された種類に対応するフィードバックコンテンツを、各応援端末２２に配信する。
【００７９】
フィードバックコンテンツ配信手段１２５は、演者Ｐが、応援端末２２に対してフィードバックコンテンツを配信する指示をした後や、所定の曲の所定のフレーズで、フィードバックコンテンツデータＦを応援端末２２に配信する。
【００８０】
提示手段１２６は、表示装置７に、応援ユーザの一覧を表示して、演者Ｐに応援ユーザを認識させる。提示手段１２６は、端末属性データ１１１の端末識別子（ニックネーム等）を、演者に提示して、ライブ会場Ｌ以外にも応援者がいることを認識させ、応援ユーザの応援の気持ちを演者Ｐに伝える手助けをする。ここで提示手段１２６は、応援端末２２の数や応援数を表示装置７に表示しても良い。
【００８１】
図７を参照して、フィードバックコンテンツ配信手段１２５によるフィードバックコンテンツ配信処理を説明する。
【００８２】
まずステップＳ１５１において、提示手段１２６が、応援端末２２の一覧を演者Ｐに表示する。提示手段１２６は、通常端末２１において新たに応援アクションが行われ、新たな応援端末２２の増加に伴って、応援ユーザの一覧を逐次更新して表示する。
【００８３】
その後、ステップＳ１５２においてフィードバックコンテンツ配信手段１２５は、演者Ｐが応援端末２２に対してフィードバックの指示をしたか否かを判定する。演者Ｐによるフィードバックの指示がない場合、演者Ｐによるフィードバックの指示を待機する。
【００８４】
応援端末２２に対するフィードバックを送信する指示を、演者Ｐがした場合、ステップＳ１５３に進む。ステップＳ１５３においてフィードバックコンテンツ配信手段１２５は、フィードバックコンテンツデータＦを応援端末２２に送信する。
【００８５】
ステップＳ１５４において、ライブ終了と判断されるまで、ステップＳ１５２ないしステップＳ１５３の処理が繰り返される。
【００８６】
図７に示す例では、演者Ｐによるフィードバックの指示を契機に、フィードバックコンテンツデータＦが配信される場合を説明したが、所定の曲のフレーズに達したことを契機に、フィードバックコンテンツデータＦが配信される場合も、同様に処理される。
【００８７】
（端末）
図８を参照して、本発明の第１の実施の形態に係る端末２０を説明する。端末２０は、記憶装置２１０、処理装置２２０、通信制御装置２４０、入力装置２５０および出力装置２６０を備える一般的なコンピュータである。配信サーバ１は、一般的なコンピュータが所定の機能を実現するためのプログラムを実行することにより、図８に示す各部が実装される。
【００８８】
記憶装置２１０は、処理装置２２０が参照または出力するデータを記憶する記憶媒体であって、具体的には、ＲＯＭ（Read Only Memory）、ＲＡＭ（Random Access Memory）、ハードディスク等である。処理装置２２０は、端末２０の処理を実行する装置であって、具体的には、ＣＰＵ（Central Processing Unit）である。
【００８９】
通信制御装置２４０は、端末２０が通信ネットワーク９等に接続するためのインタフェースである。入力装置２５０は、端末２０にデータを入力するためのインタフェースであって、具体的には、キーボード、マウス等である。出力装置２６０は、端末２０のデータを出力するためのインタフェースであって、具体的には、表示装置等である。
【００９０】
記憶装置２１０は、当該端末２０が応援端末２２の場合、ライブ動画データＭおよびフィードバックコンテンツデータＦを記憶する。ライブ動画データＭおよびフィードバックコンテンツデータＦは、ストリーミング形式で配信される場合、ハードディスクに保存されることなく、処理装置２２０によって処理されるためにメモリ等にのみ記憶される場合がある。なお、当該端末２０が通常端末２１の場合、記憶装置２１０は、フィードバックコンテンツデータＦを記憶せず、ライブ動画データＭを記憶する。
【００９１】
処理装置２２０は、応援入力手段２２１および提供手段を備える。
【００９２】
応援入力手段２２１は、ユーザの操作によって応援アクションがなされると、その旨を配信サーバ１に通知する。具体的には、通常端末２１において、図３に示す応援入力ボタンＧａ４が押下されると、応援入力手段２２１は、応援入力ボタンＧａ４が押下されたことと、この端末の識別子を配信サーバ１に通知する。また応援端末２２において、図４に示す再応援入力ボタンＧｂ４が押下されると、応援入力手段２２１は、再応援入力ボタンＧｂ４が押下されたことと、この端末の識別子を配信サーバ１に通知する。
【００９３】
提供手段は、配信サーバ１から配信されたコンテンツを再生して、ユーザに提示する。提供手段２２２は、ライブ動画提供手段２２３およびフィードバックコンテンツ提供手段２２４を備える。
【００９４】
ライブ動画提供手段２２３は、配信サーバ１から配信されたライブ動画データＭを再生して、ユーザに提示する。ライブ動画データＭは、通常端末２１および応援端末２２の両方において再生され、通常ユーザおよび応援ユーザに提示される。
【００９５】
フィードバックコンテンツ提供手段２２４は、配信サーバ１から配信されたフィードバックコンテンツデータＦを、ユーザに提示する。フィードバックコンテンツデータＦは、応援端末２２にのみ受信され、応援ユーザに提示される。フィードバックコンテンツ提供手段２２４は、フィードバックコンテンツデータＦの種類に応じて出力する。
【００９６】
このような第１の実施の形態に係る配信システム１０によれば、端末２０における応援アクションに対して、演者Ｐによるフィードバックコンテンツが返される。これにより、応援ユーザによる応援が、演者Ｐに届き、その見返りとして、応援ユーザにのみ提供されるコンテンツが提供されるので、ライブ会場Ｌにいない応援ユーザであっても、演者Ｐとのコミュニケーションを楽しむことができる。さらに、演者Ｐに、応援ユーザの一覧を提示した後に、フィードバックコンテンツが提供されることにより、演者Ｐは、応援ユーザを認識することができるので、応援ユーザによる応援が演者Ｐに届き、演者Ｐのパフォーマンスに影響を及ぼす演出を実現することができる。
【００９７】
また第１の実施の形態に係る配信システム１０によれば、配信サーバ１が、各端末２０に対して、ライブ動画データＭのみを配信するか、ライブ動画データＭおよびフィードバックコンテンツデータＦを配信するかを決定する。従って、各端末２０には、自身が閲覧可能なコンテンツのみが配信されるので、ネットワーク負荷を軽減するとともに、通常端末２１におけるフィードバックコンテンツデータＦの悪用を阻止することが可能になる。
【００９８】
（第１の実施の形態の変形例）
図９ないし図１１を参照して、第１の実施の形態の変形例を説明する。第１の実施の形態においては、配信サーバ１が、通常端末２１にライブ動画データＭのみを配信し、応援端末２２にライブ動画データＭおよびフィードバックコンテンツデータＦを配信する場合を説明した。これに対し第１の実施の形態の変形例においては、配信サーバ１ａが、各端末２０ａに、ライブ動画データＭおよびフィードバックコンテンツデータＦを配信し、通常端末２１ａにおいて、ライブ動画データＭのみを通常ユーザに提供し、応援端末２２ａにおいて、ライブ動画データＭおよびフィードバックコンテンツデータＦを応援ユーザに提供する場合を説明する。
【００９９】
図９を参照して、本発明の第１の実施の形態の変形例における配信処理を説明する。図９のステップＳ２１１ないしステップＳ２１４において、応援アクションを入力していない通常端末２１ａに関する処理を説明し、ステップＳ２２１ないしステップＳ２２６において、応援アクションを入力した応援端末２２ａに関する処理を説明する。
【０１００】
ステップＳ２１１において配信サーバ１ａは、通常端末２１ａに向けてライブ動画データＭを逐次配信し、ステップＳ２１２において、フィードバックコンテンツデータＦを配信する。
【０１０１】
ステップＳ２１３において端末２０ａは、自身の端末で、応援アクションがなされたか否かを判定する。ここでは、応援アクションを入力してない通常端末２１ａの処理を説明するので、自身の端末で、応援アクションが入力されていないと判定する。通常端末２１ａは、配信サーバ１ａから受信したライブ動画データＭを通常ユーザに提供する。一方、配信サーバ１ａから受信したフィードバックコンテンツデータＦは、通常端末２１ａから通常ユーザに提供されず、破棄される。
【０１０２】
端末２０ａ（応援端末２２ａ）において、応援ユーザが応援アクションを入力すると、ステップＳ２２１において、その情報が配信サーバ１ａに送信される。ステップＳ２２２において配信サーバ１ａは、応援端末２２ａにおいて応援アクションが行われたことを、端末属性データ１１１に記録する。
【０１０３】
ステップＳ２２３において配信サーバ１ａは、応援端末２２ａに向けてライブ動画データＭを逐次配信し、ステップＳ２２４において、フィードバックコンテンツデータＦを配信する。
【０１０４】
ステップＳ２２５において端末２０ａは、自身の端末で、応援アクションがなされたか否かを判定する。ここでは、応援アクションを入力した応援端末２２ａの処理を説明するので、自身の端末で、応援アクションが入力されたと判定する。応援端末２２ａは、配信サーバ１ａから受信したライブ動画データＭおよびフィードバックコンテンツデータＦを応援ユーザに提供する。
【０１０５】
（配信サーバ）
図１０を参照して、本発明の第１の実施の形態の変形例に係る配信サーバ１ａを説明する。第１の実施の形態の変形例に係る配信サーバ１ａは、図５に示す第１の実施の形態に係る配信サーバ１と比べて、変形例に係るフィードバック動画配信手段１３３ａが、判定手段１２３を備えていない点が異なる。
【０１０６】
換言すると、変形例に係る配信サーバ１ａにおいて、ライブ動画配信手段１２４は、通常端末２１ａおよび応援端末２２ａの両端末２０ａに対して、ライブ動画データＭを配信し、フィードバックコンテンツ配信手段１２５は、通常端末２１ａおよび応援端末２２ａの両端末２０ａに対して、フィードバックコンテンツデータＦを配信する。
【０１０７】
（端末）
図１１を参照して、本発明の第１の実施の形態の変形例に係る端末２０ａを説明する。第１の実施の形態の変形例に係る端末２０ａは、図８に示す第１の実施の形態に係る端末２０と比べて、提供手段２２２ａが、判定手段２２５を備える点が異なる。
【０１０８】
提供手段２２２は、配信サーバ１ａから、ライブ動画データＭとフィードバックコンテンツデータＦを受信し、応援入力手段２２１によって応援アクションの指示が入力されていない場合、ライブ動画データＭを提供し、応援入力手段２２１によって応援アクションの指示が入力された場合、ライブ動画データＭとフィードバックコンテンツデータＦを提供する。提供手段２２２は、判定手段２２５、ライブ動画提供手段２２３およびフィードバックコンテンツ提供手段２２４を備える。
【０１０９】
判定手段２２５は、自身の端末２０ａが、応援入力手段２２１によって応援アクションを入力したか否かを判定する。応援アクションを入力していない場合、判定手段２２５は、ライブ動画提供手段２２３にライブ動画データＭを提供させ、フィードバックコンテンツデータＦを破棄する。一方、応援アクションを入力した場合、判定手段２２５は、ライブ動画提供手段２２３にライブ動画データＭを提供させ、さらに、フィードバックコンテンツ提供手段２２４にフィードバックコンテンツデータＦを提供させる。
【０１１０】
ここで、複数の応援アクションが可能な場合、判定手段２２５は、応援入力手段２２１によって行われた応援アクションの回数を取得する。また、応援アクションの回数とそれに対応するフィードバックコンテンツの種別とを対応づけたテーブルを参照して、フィードバックコンテンツ提供手段２２４に、端末識別子と、当該端末に提供するフィードバックコンテンツの種別を対応づけたデータを、入力する。
【０１１１】
ライブ動画提供手段２２３は、配信サーバ１ａから配信されたライブ動画データＭを再生し、通常ユーザおよび応援ユーザに提供する。
【０１１２】
フィードバックコンテンツ提供手段２２４は、判定手段２２５による指示に応じて、フィードバックコンテンツデータＦを、応援ユーザに提供する。ここで、フィードバックコンテンツ提供手段２２４は、判定手段２２５から指定されたコンテンツ種別のコンテンツデータを提供する。
【０１１３】
図１２を参照して、提供手段２２２ａによる提供処理を説明する。
【０１１４】
まずステップＳ２５１において、当該端末２０ａにおいて、応援アクションがあったか否かを判定する。応援アクションがなかったと判定された場合、提供手段２２２ａは、ステップＳ２５２においてライブ動画データＭを提供する。ステップＳ２５３においてライブが終了したと判定すると処理を終了する。
【０１１５】
一方、ステップＳ２５１において、当該端末２０ａにおいて、応援アクションがあったと判定された場合、提供手段２２２ａは、ステップＳ２５４においてライブ動画データＭを提供し、ステップＳ２５５においてフィードバックコンテンツデータＦを提供する。ステップＳ２５６においてライブが終了したと判定すると処理を終了する。
【０１１６】
このような第１の実施の形態の変形例によれば、配信サーバ１ａは、配信先の端末２０ａが、通常端末２１ａであるか応援端末２２ａであるかを判定することなく、どの端末２０ａにも、ライブ動画データＭおよびフィードバックコンテンツデータＦを配信する。これにより、第１の実施の形態の変形例に係る配信サーバ１ａは、第１の実施の形態に係る配信サーバ１に比べて、処理負荷が軽減される。
【０１１７】
（第２の実施の形態）
図１３ないし図１８を参照して、第２の実施の形態に係る配信システム１０ｂを説明する。第２の実施の形態に係る配信システム１０ｂは、図１を参照して説明した第１の実施の形態に係る配信システム１０と比べて、表示装置７を備えておらず、第１のカメラ５および第２のカメラ６を備える点が異なる。第２の実施の形態においては、応援アクションに対するフィードバックコンテンツが第２のカメラ６により生成されたフィードバック動画データＭＦである場合を説明する。
【０１１８】
第１のカメラ５は、ライブ会場Ｌに設けられ、ライブを動画で撮影する第１のライブ動画データＭ１を出力する。
【０１１９】
第２のカメラ６は、ライブ会場Ｌに設けられ、演者Ｐの特定のシーンを撮影する第２のライブ動画データＭ２を出力する。
【０１２０】
第２の実施の形態において配信サーバ１ｂは、第１のライブ動画データＭ１と第２のライブ動画データＭ２を、各端末２０ｂに提供する。通常端末２１ｂにおいて、第１のライブ動画データＭ１が提供され、応援端末２２ｂにおいて、第１のライブ動画データＭ１と第２のライブ動画データＭ２が提供される。
【０１２１】
第１のカメラ５および第２のカメラ６は、それぞれ第１のライブ動画データＭ１および第２のライブ動画データＭ２を出力するためのカメラである。第１のカメラ５および第２のカメラ６は、それぞれ、複数のカメラによって構成されても良く、第１のライブ動画データＭ１は、第１のカメラ５を構成する複数のカメラの切り替えにより構成され、第２のライブ動画データＭ２は、第２のカメラ６を構成する複数のカメラの切り替えにより構成されても良い。また、第１のカメラ５および第２のカメラ６は、同じアングルを撮影しないように配置されるのが好ましい。
【０１２２】
また、演者Ｐが複数の場合、演者Ｐのそれぞれまたは複数の演者Ｐに対して、第２のカメラ６が設けられても良い。
【０１２３】
ここで、応援端末２２ｂには、第１のライブ動画データＭ１と第２のライブ動画データＭ２を切り替えて生成されたフィードバック動画データＭＦが提供されても良い。フィードバック動画データＭＦは、第１のライブ動画データＭ１と第２のライブ動画データＭ２を切り替えて生成された動画データである。フィードバック動画データＭＦは、第２のライブ動画データＭ２の所定シーンにおいて、切替開始条件を満たすと、第１のライブ動画データＭ１から第２のライブ動画データＭ２に切り替えて出力し、切替終了条件を満たすと、第２のライブ動画データＭ２から第１のライブ動画データＭ１に切り替えて出力する。このように、フィードバック動画データＭＦは、第１のライブ動画データＭ１をベースに、第２のライブ動画データＭ２において処理条件を満たしたシーンについてのみ、第１のライブ動画データＭ１を第２のライブ動画データＭ２に置き換えた動画データである。
【０１２４】
この所定のシーンは、演者Ｐの目線やアップなど、応援ユーザが見たいと思う演者のシーンである。また、第１の実施の形態で説明したように、所定のシーンは、特定の曲の特定のフレーズであっても良い。この特定のフレーズは例えば、ライブ参加者等に演者Ｐが合いの手を働きかけているシーンである。
【０１２５】
特定のシーンが演者Ｐの目線の場合、切替開始条件は、演者Ｐの目線の検知で、切替終了条件は、演者Ｐの目線が外れたことの検知である。ここで、演者Ｐの目線の検知または演者Ｐの目線が外れたことの検知は、一般的な目線検知プログラムでなされる。また、切替開始条件または切替終了条件に、演者Ｐの目線または目線が外れたことが、所定時間継続することを条件に加えても良い。
【０１２６】
特定のシーンが演者Ｐのアップの場合、切替開始条件は、所定のフレームにおいて、所定割合以上で演者Ｐが撮影されたことの検知で、切替開始条件は、所定のフレームにおいて、所定割合以下で演者Ｐが撮影されたことの検知である。ここで、演者Ｐのアップの検知または演者Ｐのアップが外れたことの検知は、一般的な被写体検知プログラムでなされる。また、切替開始条件または切替終了条件に、演者Ｐのアップまたはアップが外れたことが、所定時間継続することを条件に加えても良い。
【０１２７】
所定のシーンは、特定の曲の特定のフレーズの場合、切替開始条件は、演者Ｐのパフォーマンスに関する曲の所定のフレーズが出力（開始）されたことの検知で、切替開始条件は、所定のフレーズが終了したことの検知である。
【０１２８】
第２の実施の形態において、第１のライブ動画データＭ１と第２のライブ動画データＭ２の切替は、所定のプログラムによって行う場合を想定するが、オペレータによって手動で切り替えられても良い。
【０１２９】
図１４を参照して、第２の実施の形態に係る第１のライブ動画データＭ１、第２のライブ動画データＭ２およびフィードバック動画データＭＦの関係を説明する。図１４においては、ライブ会場システム８ｂが、第２のライブ動画データＭ２において、目線を検知した際に、第１のライブ動画データＭ１から第２のライブ動画データＭ２を切り替えて、フィードバック動画データＭＦを生成する場合を説明する。
【０１３０】
図１４に示す例において、第１のライブ動画データＭ１および第２のライブ動画データＭ２において、演者Ｐのカメラ目線シーンが含まれている時間を、それぞれ、☆および★で示している。
【０１３１】
第２の実施の形態に係るライブ会場システム８ｂにおいて、応援端末２２に配信されるフィードバック動画データＭＦが生成される。フィードバック動画データＭＦは、第１のライブ動画データＭ１のカメラ目線シーン☆と、第２のライブ動画データＭ２のカメラ目線シーン★をあわせた動画データであり、第１のライブ動画データＭ１よりも、より多くのカメラ目線シーンが含まれている。
【０１３２】
このようにライブ会場システム８ｂで生成された第１のライブ動画データＭ１は、通信ネットワーク９を介して通常端末２１ｂに配信されて、通常端末２１ｂで再生される。ライブ会場システム８ｂで生成されたフィードバック動画データＭＦは、通信ネットワーク９を介して応援端末２２ｂに配信されて、応援端末２２ｂで再生される。
【０１３３】
ここで、複数の演者Ｐそれぞれに複数の第２のカメラ６が設けられる場合、複数回応援アクションを行った応援ユーザには、応援回数に応じた演者Ｐの数に対応する第２のカメラ６から生成された複数の第２のライブ動画データＭ２から生成されたフィードバック動画データＭＦが、応援端末２２ｂに提供されても良い。これにより、多くの応援アクションを行った応援ユーザに、より多くの演者Ｐの特定シーンを含むフィードバック動画データＭＦが提供される。
【０１３４】
図１５を参照して、本発明の第２の実施の形態における配信処理を説明する。図１５のステップＳ３１１ないしステップＳ３１３において、応援アクションを入力していない通常端末２１ｂに関する処理を説明し、ステップＳ３２１ないしステップＳ３２５において、応援アクションを入力した応援端末２２ｂに関する処理を説明する。
【０１３５】
ステップＳ３１１において配信サーバ１ｂは、送信先の端末２０ｂで、応援アクションが行われたか否かを判定する。ここでは、応援アクションを入力していない通常端末２１ｂの処理を説明するので、送信先の端末２０ｂ（通常端末２１ｂ）で応援アクションが入力されていないと判定する。ステップＳ３１２において配信サーバ１ｂは、通常端末２１ｂに向けて第１のライブ動画データＭ１を逐次配信する。
【０１３６】
ステップＳ３１３において通常端末２１ｂは、第１のライブ動画データＭ１を逐次受信して再生することで、通常ユーザに第１のライブ動画データＭ１を提供する。
【０１３７】
端末２０ｂ（応援端末２２ｂ）において、応援ユーザが応援アクションを入力すると、ステップＳ３２１において、その情報が配信サーバ１ｂに送信される。ステップＳ３２２において配信サーバ１ｂは、応援端末２２ｂにおいて応援アクションが行われたことを、端末属性データ１１１に記録する。
【０１３８】
ステップＳ３２３において配信サーバ１ｂは、送信先の端末２０ｂで、応援アクションが行われたか否かを判定する。ここでは、応援アクションを入力した応援端末２２ｂの処理を説明するので、送信先の端末２０ｂ（応援端末２２ｂ）で応援アクションが入力されたと判定する。ステップＳ３２４において配信サーバ１ｂは、応援端末２２ｂに向けてフィードバック動画データＭＦを逐次配信する。
【０１３９】
ステップＳ３２５において応援端末２２ｂは、フィードバック動画データＭＦを逐次受信して再生することで、応援ユーザにフィードバック動画データＭＦを提供する。
【０１４０】
（配信サーバ）
図１６を参照して、本発明の第２の実施の形態に係る配信サーバ１ｂを説明する。第２の実施の形態に係る配信サーバ１ｂは、図５を参照して説明した第１の実施の形態に係る配信サーバ１と比べて、配信手段１２２ｂが、第１のライブ動画配信手段１３１およびフィードバック動画配信手段１３３を備える点が異なる。
【０１４１】
配信手段１２２ｂの判定手段１２３は、配信先の端末２０ｂが、通常端末２１ｂであるか、応援端末２２ｂであるかを判定し、その判定結果に従って、配信するコンテンツを制御する。判定手段１２３は、第１のライブ動画配信手段１３１に、通常端末２１ｂの端末識別子を入力する。判定手段１２３は、フィードバック動画配信手段１３３に、応援端末２２ｂの端末識別子を入力する。
【０１４２】
ここで、複数回の応援アクションが可能な場合、応援アクションの回数に応じて、配信するフィードバック動画データＭＦの内容を変更するように制御されても良い。複数回の応援アクションが可能な場合、応援アクションの回数とそれに対応するフィードバック動画データＭＦの種別とを対応づけたテーブルを参照して、フィードバックコンテンツ配信手段１２５に、端末識別子と、当該端末に提供するフィードバック動画データＭＦの種別を対応づけたデータを、入力する。
【０１４３】
第１のライブ動画配信手段１３１は、通常端末２１ｂに、第１のライブ動画データＭ１を配信する。
【０１４４】
フィードバック動画配信手段１３３は、応援端末２２ｂに、フィードバック動画データＭＦを配信する。
【０１４５】
ここでフィードバック動画配信手段１３３は、第１のライブ動画データＭ１と第２のライブ動画データＭ２を切り替えて出力する。フィードバック動画配信手段１３３は、第２のライブ動画データＭ２の所定シーンにおいて、切替開始条件を満たすと、第１のライブ動画データＭ１から第２のライブ動画データＭ２に切り替えて出力し、切替終了条件を満たすと、第２のライブ動画データＭ２から第１のライブ動画データＭ１に切り替えて出力する。このように、第１のライブ動画データＭ１と第２のライブ動画データＭ２を切り替えながらフィードバック動画データＭＦを生成して、応援端末２２ｂに配信する。
【０１４６】
ここで応援回数に応じてフィードバック動画データＭＦの種類を変更する場合、切替開始条件および切替終了条件を、生成するフィードバック動画データＭＦの種類数に応じて予め設定することで、複数種類のフィードバック動画データＭＦが生成可能になる。このとき、応援回数の多い応援ユーザに配信されるフィードバック動画データＭＦについては、より演者Ｐの目線やアップが多くなるように、またより多くの特定フレーズが含まれるように生成されることが好ましい。
【０１４７】
図１７を参照して、フィードバック動画配信手段１３３によるフィードバック配信処理を説明する。図１７に示す右側のフィードバック動画データＭＦは、フローチャートの各ステップに対応して配信されるライブ動画データを説明する。
【０１４８】
まずステップＳ３５１において、フィードバック動画配信手段１３３は、第１のライブ動画データＭ１をフィードバック動画データＭＦとして応援端末２２ｂに配信する。
【０１４９】
フィードバック動画配信手段１３３は、第２のライブ動画データＭ２を監視し、ステップＳ３５２において、第２のライブ動画データＭ２において切替開始条件が満たされたと判断すると、ステップＳ３５３に進む。ステップＳ３５３においてフィードバック動画配信手段１３３は、第１のライブ動画データＭ１から第２のライブ動画データＭ２に切り替えて、応援端末２２ｂに配信する。
【０１５０】
フィードバック動画配信手段１３３は、第２のライブ動画データＭ２を監視し、ステップＳ３５４において、第２のライブ動画データＭ２において切替終了条件が満たされたと判断すると、ステップＳ３５５に進む。ステップＳ３５５においてフィードバック動画配信手段１３３は、第２のライブ動画データＭ２から第１のライブ動画データＭ１に切り替えて、応援端末２２ｂに配信する。
【０１５１】
ステップＳ３５６において、ライブ終了と判断されるまで、ステップＳ３５２ないしステップＳ３５５の処理が繰り返される。
【０１５２】
（端末）
図１８を参照して、本発明の第２の実施の形態に係る端末２０ｂを説明する。第２の実施の形態に係る端末２０ｂは、図８に示す第１の実施の形態に係る端末２０と比べて、提供手段２２２ｂが、ライブ動画提供手段２２３およびフィードバックコンテンツ提供手段２２４を備えない点が異なる。
【０１５３】
提供手段２２６ｂは、配信サーバ１ｂから受信したデータを、提供する。当該端末２０ｂが通常端末２１ｂである場合、提供手段２２６ｂは、配信サーバ１ｂから第１のライブ動画データＭ１を受信し、受信した第１のライブ動画データＭ１を再生して提供する。当該端末２０ｂが応援端末２２ｂである場合、提供手段２２６ｂは、配信サーバ１ｂからフィードバック動画データＭＦを受信し、受信したフィードバック動画データＭＦを再生して提供する。
【０１５４】
このような第２の実施の形態に係る配信システム１０ｂによれば、端末２０ｂにおける応援アクションに対して、演者Ｐの目線やアップなどの特定のシーンを含むライブ動画が返される。これにより、応援ユーザの応援アクションに対して、演者Ｐが応援ユーザを見てくれたと感じることができ、ライブ会場Ｌにいなくとも、ライブ会場と同様に演者Ｐとの一体感を味わうことが可能になる。
【０１５５】
また第２の実施の形態に係る配信システム１０ｂによれば、第１の実施の形態に係る配信システム１０と同様に、各端末２０ｂには、自身が閲覧可能なコンテンツのみが配信されるので、ネットワーク負荷を軽減するとともに、通常端末２１ｂにおけるフィードバック動画データＭＦの悪用を阻止することが可能になる。
【０１５６】
（第２の実施の形態の変形例）
図１９ないし図２３を参照して、第２の実施の形態の変形例を説明する。第２の実施の形態においては、配信サーバ１ｂが、通常端末２１ｂに第１のライブ動画データＭ１を配信し、応援端末２２ｂにフィードバック動画データＭＦを配信する場合を説明した。これに対し第２の実施の形態の変形例においては、配信サーバ１ｃが、第１のライブ動画データＭ１およびフィードバック動画データＭＦを配信し、通常端末２１ｃにおいて、第１のライブ動画データＭ１のみを通常ユーザに提供し、応援端末２２ｃにおいて、フィードバック動画データＭＦを応援ユーザに提供する場合を説明する。
【０１５７】
図１９を参照して、第２の実施の形態の変形例に係る第１のライブ動画データＭ１、第２のライブ動画データＭ２およびフィードバック動画データＭＦの関係を説明する。図１９に示す第１のライブ動画データＭ１、第２のライブ動画データＭ２およびフィードバック動画データＭＦは、図１４に示したものと同様である。
【０１５８】
第２の実施の形態の変形例に係るライブ会場システム８ｃは、第１のライブ動画データＭ１および第２のライブ動画データＭ２を、通常端末２１ｃおよび応援端末２２ｃに配信する。応援端末２２ｃが、第２のライブ動画データＭ２において目線を検知した際に、第１のライブ動画データＭ１から第２のライブ動画データＭ２を切り替えて、フィードバック動画データＭＦを生成する。
【０１５９】
ライブ会場システム８ｃで生成された第１のライブ動画データＭ１および第２のライブ動画データＭ２は、通信ネットワーク９を介して通常端末２１ｃおよび応援端末２２ｃに配信される。通常端末２１ｃにおいて、第１のライブ動画データＭ１が再生され、第２のライブ動画データＭ２は破棄される。応援端末２２ｃにおいて、第１のライブ動画データＭ１および第２のライブ動画データＭ２が切り替えられたフィードバック動画データＭＦが再生される。
【０１６０】
図２０を参照して、本発明の第２の実施の形態の変形例における配信処理を説明する。図２０のステップＳ４１１ないしステップＳ４１４において、応援アクションを入力していない通常端末２１ｃに関する処理を説明し、ステップＳ４２１ないしステップＳ４２６において、応援アクションを入力した応援端末２２ｃに関する処理を説明する。
【０１６１】
ステップＳ４１１において配信サーバ１ｃは、通常端末２１ｃに向けて第１のライブ動画データＭ１を逐次配信し、ステップＳ４１２において、第２のライブ動画データＭ２を逐次配信する。
【０１６２】
ステップＳ４１３において端末２０ｃは、自身の端末で、応援アクションがなされたか否かを判定する。ここでは、応援アクションを入力してない通常端末２１ｃの処理を説明するので、自身の端末で、応援アクションが入力されていないと判定する。通常端末２１ｃは、配信サーバ１ｃから受信した第１のライブ動画データＭ１を通常ユーザに提供する。一方、配信サーバ１ｃから受信した第２のライブ動画データＭ２は、通常端末２１ｃにおいて再生されず、破棄される。
【０１６３】
端末２０ｃ（応援端末２２ｃ）において、応援ユーザが応援アクションを入力すると、ステップＳ４２１において、その情報が配信サーバ１ｃに送信される。ステップＳ４２２において配信サーバ１ｃは、応援端末２２ｃにおいて応援アクションが行われたことを、端末属性データ１１１に記録する。
【０１６４】
ステップＳ４２３において配信サーバ１ｃは、応援端末２２ｃに向けて第１のライブ動画データＭ１を逐次配信し、ステップＳ４２４において、第２のライブ動画データＭ２を逐次配信する。
【０１６５】
ステップＳ４２５において端末２０ｃは、自身の端末で、応援アクションがなされたか否かを判定する。ここでは、応援アクションを入力した応援端末２２ｃの処理を説明するので、自身の端末で、応援アクションが入力されたと判定する。応援端末２２ｃは、配信サーバ１ｃから受信した第１のライブ動画データＭ１および第２のライブ動画データＭ２を切り替えたフィードバック動画データＭＦを、応援ユーザに提供する。
【０１６６】
（配信サーバ）
図２１を参照して、本発明の第２の実施の形態の変形例に係る配信サーバ１ｃを説明する。第２の実施の形態の変形例に係る配信サーバ１ｃは、図１６に示す第２の実施の形態に係る配信サーバ１ｂと比べて、変形例に係る配信手段１２２ｃが、判定手段１２３およびフィードバック動画配信手段１３３を備えておらず、第２のライブ動画配信手段１３２を備えている点が異なる。
【０１６７】
換言すると、変形例に係る配信サーバ１ｃにおいて、第１のライブ動画配信手段１３１および第２のライブ動画配信手段１３２は、通常端末２１ｃおよび応援端末２２ｃの両端末２０ｃに対して、それぞれ第１のライブ動画データＭ１および第２のライブ動画データＭ２を配信する。
【０１６８】
（端末）
図２２を参照して、本発明の第２の実施の形態の変形例に係る端末２０ｃを説明する。第２の実施の形態の変形例に係る端末２０ｃは、図１８に示す第２の実施の形態に係る端末２０ｂと比べて、提供手段２２２ｃが、判定手段２２５、第１のライブ動画提供手段２３１およびフィードバック動画提供手段２３２を備える点が異なる。
【０１６９】
提供手段２２２ｃは、配信サーバ１ｃから、第１のライブ動画データＭ１と第２のライブ動画データＭ２を受信し、応援入力手段２２１によって応援アクションの指示が入力されていない場合、第１のライブ動画データＭ１を提供し、応援入力手段２２１によって応援アクションの指示が入力された場合、第１のライブ動画データＭ１と第２のライブ動画データＭ２を切り替えて生成されたフィードバック動画データＭＦを提供する提供手段２２２ｃは、判定手段２２５、第１のライブ動画提供手段２３１およびフィードバック動画提供手段２３２を備える。
【０１７０】
判定手段２２５は、自身の端末２０ｃが、応援入力手段２２１によって応援アクションを入力したか否かを判定する。応援アクションを入力していない場合、判定手段２２５は、第１のライブ動画提供手段２３１に第１のライブ動画データＭ１を提供させ、第２のライブ動画データＭ２を破棄する。一方、応援アクションを入力した場合、判定手段２２５は、提供手段２２２ｃに第１のライブ動画データＭ１と第２のライブ動画データＭ２を切り替えたフィードバック動画データＭＦを提供させる。
【０１７１】
ここで、複数の応援アクションが可能な場合、判定手段２２５は、応援入力手段２２１によって行われた応援アクションの回数を取得する。また、応援アクションの回数とそれに対応するフィードバック動画の種別とを対応づけたテーブルを参照して、フィードバック動画提供手段２３２に、端末識別子と、当該端末に提供するフィードバック動画の種別を対応づけたデータを、入力する。
【０１７２】
第１のライブ動画提供手段２３１は、配信サーバ１ｃから配信された第１のライブ動画データＭ１を再生し、通常ユーザに提供する。
【０１７３】
フィードバック動画配信手段１３３は、判定手段１２３による指示に応じて、第１のライブ動画データＭ１および第２のライブ動画データＭ２を切り替えて、フィードバック動画データＭＦを、応援ユーザに提供する。ここで、フィードバック動画配信手段１３３は、判定手段２２５から指定された動画種別の動画データを提供する。
【０１７４】
図２３を参照して、提供手段２２２ｃによる提供処理を説明する。
【０１７５】
まずステップＳ４５１において、当該端末２０ｃにおいて、応援アクションがあったか否かを判定する。応援アクションがなかったと判定された場合、提供手段２２２ｃは、ステップＳ４５２において第１のライブ動画データＭ１を提供する。ステップＳ４５３においてライブが終了したと判定すると処理を終了する。
【０１７６】
一方、ステップＳ４５１において、当該端末２０ｃにおいて、応援アクションがあったと判定された場合、提供手段２２２ｃは、ステップＳ４５４において第１のライブ動画データＭ１を提供する。ここで、図１７のステップＳ３５２ないしステップＳ３５５を参照して説明した処理と同様に、ステップＳ４５５ないしステップＳ４５８において、第１のライブ動画データＭ１と第２のライブ動画データＭ２を切り替える。ステップＳ４５９においてライブが終了したと判定すると処理を終了する。
【０１７７】
このような第２の実施の形態の変形例によれば、配信サーバ１ｃは、配信先の端末が、通常端末２１ｃであるか応援端末２２ｃであるかを判定することなく、どの端末２０ｃにも、第１のライブ動画データＭ１および第２のライブ動画データＭ２を配信する。これにより、第２の実施の形態の変形例に係る配信サーバ１ｃは、第２の実施の形態に係る配信サーバ１ｂに比べて、処理負荷が軽減される。
【０１７８】
（第３の実施の形態）
第１の実施の形態および第２の実施の形態においては、ライブ会場Ｌにおける演者Ｐによるライブパフォーマンスを配信サーバ１がカメラ５から取得してストリーミングで配信する場合を説明したが、本発明の実施の形態に係る配信システムは、そのほかのライブ配信にも適用することができる。
【０１７９】
例えば図２４に示す配信システム１０ｄは、個人宅等に設けられたライブ演者端末２３に取り込まれた動画データを、配信サーバ１ｄを介して、他の端末２０ｄに配信する場合にも適用することができる。換言すると、ライブ演者端末２３に取り込まれる動画データの撮影領域が、ライブ会場Ｌｄとなる。またライブ会場システム８ｄは、ライブ会場Ｌｄとライブ演者端末２３とを含む。
【０１８０】
図２５を参照して、ライブ演者端末２３の表示装置２７０の一例を説明する。ライブ演者端末２３の表示装置２７０には、カメラＣが設けられており、表示装置２７０の前の演者Ｐを撮影する。カメラＣは、ライブ演者端末２３に接続し、カメラＣが撮影した動画データは、ライブ演者端末２３に取り込まれる。
【０１８１】
ライブ演者端末２３に取り込まれた動画データは、表示装置２７０のスクリーンＦａの配信動画プレビュー画面Ｆａ１で再生されるとともに、通信ネットワーク９を介して配信サーバ１ｄに送信される。
【０１８２】
配信サーバ１ｄは、第１および第２の実施の形態で説明したように、通常端末２１ｄおよび応援端末２２ｄに、動画データおよびフィードバックコンテンツデータも配信する。ここでフィードバックコンテンツデータＦは、画像の撮影や画像またはコメントのアップロードなどのライブ中に演者Ｐの操作により提供されても良いし、予め配信サーバ１ｄに登録されたコンテンツが提供されても良い。
【０１８３】
また、ライブ演者端末２３の表示装置２７０には、他の実施の形態と同様に、演者Ｐに応援ユーザを提示する応援者一覧表示ウィンドウＦａ２が設けられる。第３の実施の形態においても、演者Ｐは、応援ユーザの一覧を参照しながら、応援に対するフィードバックとして、フィードバックコンテンツデータＦを、配信サーバ１ｄに配信させることが可能になる。
【０１８４】
（第３の実施の形態の変形例）
第３の実施の形態の変形例においては、第２の実施の形態で説明したように、ライブ会場システム８ｄから、第１のライブ動画データＭ１および第２のライブ動画データＭ２を配信する場合を説明する。
【０１８５】
図２６を参照して、ライブ演者端末２３ｂの表示装置２７０ｂの一例を説明する。
【０１８６】
図２６に示す表示装置２７０ｂのスクリーンＦｂは、図２５に示す表示装置２７０のスクリーンＦａと同様であるが、表示装置２７０ａに、第１のカメラＣ１および第２のカメラＣ２の複数のカメラが設けられている点が異なる。
【０１８７】
第１のカメラＣ１および第２のカメラＣ２は、ライブ演者端末２３ｂに接続し、第１のカメラＣ１および第２のカメラＣ２が撮影した各動画データは、ライブ演者端末２３ｂに取り込まれる。
【０１８８】
ライブ演者端末２３ｂに取り込まれた各動画データは、表示装置２７０ｂのスクリーンＦｂの配信動画プレビュー画面Ｆｂ１で再生されるとともに、通信ネットワーク９を介して配信サーバ１ｄに送信される。
【０１８９】
第１のカメラＣ１および第２のカメラＣ２は、同じアングルを撮影しないように配置されるのが好ましい。演者Ｐは、例えば通常は第１のカメラＣ１に向かってパフォーマンスを行い、フィードバックコンテンツを配信するタイミングで、第２のカメラＣ２に向かってパフォーマンスを行う。
【０１９０】
このような第３の実施の形態の変形例においても、通常端末２１ｄには、第１のカメラＣ１で撮影された動画データが配信され、応援端末２２ｄには、第１のカメラＣ１で撮影された動画データと第２のカメラＣ２で撮影された動画データとが切り替えられた動画データが配信される。
【０１９１】
ここで、第１のカメラＣ１で撮影された動画データと第２のカメラＣ２で撮影された動画データの切替は、どの装置で行われても良い。例えば、ライブ演者端末２３ｂにおいて切り替えられても良いし、配信サーバ１ｄにおいて切り替えられても良いし、応援端末２２ｄにおいて切り替えられても良い。
【０１９２】
（その他の実施の形態）
上記のように、本発明の第１ないし第３の実施の形態とその変形例によって記載したが、この開示の一部をなす論述および図面はこの発明を限定するものであると理解すべきではない。この開示から当業者には様々な代替実施の形態、実施例および運用技術が明らかとなる。
【０１９３】
例えば、本発明の実施の形態に記載した配信サーバは、図５に示すように一つのハードウエア上に構成されても良いし、その機能や処理数に応じて複数のハードウエア上に構成されても良い。また、既存の配信システム上に実現されても良い。
【０１９４】
また本発明の実施の形態において、応援端末２２および通常端末２１は、ライブ会場Ｌ外のユーザを想定しているが、ライブ会場Ｌ内でライブに参加しているユーザが、ユーザ自身の端末を使って、応援アクションをしてフィードバックコンテンツを受信することも可能である。
【０１９５】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【０１９６】
１  配信サーバ
５、６、Ｃ  カメラ
７  表示装置
８  ライブ会場システム
９  通信ネットワーク
１０  配信システム
２０  端末
２１  通常端末
２２  応援端末
２３  ライブ演者端末
１１０、２１０  記憶装置
１１１  端末属性データ
１２０、２２０  処理装置
１２１  応援取得手段
１２２  配信手段
１２３、２２５  判定手段
１２４  ライブ動画配信手段
１２５  フィードバックコンテンツ配信手段
１２６  提示手段
１３１  第１のライブ動画配信手段
１３２  第２のライブ動画配信手段
１３３  フィードバック動画配信手段
１４０、２４０  通信制御装置
１５０、２５０  入力装置
１６０、２６０  出力装置
２２１  応援入力手段
２２２  提供手段
２２３  ライブ動画提供手段
２２４  フィードバックコンテンツ提供手段
２３１  第１のライブ動画提供手段
２３２  フィードバック動画提供手段
Ｆ  フィードバックコンテンツデータ
Ｌ  ライブ会場
Ｐ  演者
Ｍ  ライブ動画データ
ＭＦ  フィードバック動画データ
【図１】
2018110324.tif 000003
【図２】
2018110324.tif 000004
【図３】
2018110324.tif 000005
【図４】
2018110324.tif 000006
【図５】
2018110324.tif 000007
【図６】
2018110324.tif 000008
【図７】
2018110324.tif 000009
【図８】
2018110324.tif 000010
【図９】
2018110324.tif 000011
【図１０】
2018110324.tif 000012
【図１１】
2018110324.tif 000013
【図１２】
2018110324.tif 000014
【図１３】
2018110324.tif 000015
【図１４】
2018110324.tif 000016
【図１５】
2018110324.tif 000017
【図１６】
2018110324.tif 000018
【図１７】
2018110324.tif 000019
【図１８】
2018110324.tif 000020
【図１９】
2018110324.tif 000021
【図２０】
2018110324.tif 000022
【図２１】
2018110324.tif 000023
【図２２】
2018110324.tif 000024
【図２３】
2018110324.tif 000025
【図２４】
2018110324.tif 000026
【図２５】
2018110324.tif 000027
【図２６】
2018110324.tif 000028
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
演者によるライブを撮影するライブ動画データを複数の端末に配信する配信システムであって、
前記ライブの会場に設けられ、前記ライブを動画で撮影する第１のライブ動画データを出力する第１のカメラと、
前記ライブの会場に設けられ、前記演者の特定のシーンを撮影する第２のライブ動画データを出力する第２のカメラと、
前記第１のライブ動画データおよび前記第２のライブ動画データを配信する配信サーバと、
前記演者に対する応援アクションの指示を入力可能な複数の端末を備え、
前記端末は、前記応援アクションを入力していない通常端末または前記応援アクションを入力した応援端末であって、
前記通常端末において、前記第１のライブ動画データが提供され、
前記応援端末において、前記第１のライブ動画データと前記第２のライブ動画データが提供される
ことを特徴とする配信システム。
【請求項２】
前記配信サーバは、
前記応援端末または前記通常端末の区別を特定する端末属性データを記憶する記憶装置と、
前記端末属性データを参照して、前記通常端末に、前記第１のライブ動画データを配信し、前記応援端末に、前記第１のライブ動画データと前記第２のライブ動画データを配信する配信手段を備える
ことを特徴とする請求項１に記載の配信システム。
【請求項３】
前記配信サーバは、
前記端末に、前記第１のライブ動画データと前記第２のライブ動画データを配信する配信手段を備え、
前記端末は、
前記演者に対する前記応援アクションの指示を入力する応援入力手段と、
前記配信サーバから、前記第１のライブ動画データと前記第２のライブ動画データを受信し、前記端末が前記通常端末である場合、前記第１のライブ動画データを提供し、前記応援端末である場合、前記第１のライブ動画データと前記第２のライブ動画データを提供する提供手段を備える
ことを特徴とする請求項１に記載の配信システム。
【請求項４】
請求項２に記載の配信手段または請求項３に記載の提供手段は、
前記第１のライブ動画データと前記第２のライブ動画データを切り替えて出力し、
前記第２のライブ動画データの所定シーンにおいて、切替開始条件を満たすと、前記第１のライブ動画データから前記第２のライブ動画データに切り替えて出力し、切替終了条件を満たすと、前記第２のライブ動画データから前記第１のライブ動画データに切り替えて出力する
ことを特徴とする請求項２または３に記載の配信システム。
【請求項５】
前記切替開始条件は、前記演者の目線の検知で、
前記切替終了条件は、前記演者の目線が外れたことの検知である
ことを特徴とする請求項４に記載の配信システム。
【請求項６】
前記切替開始条件は、所定のフレームにおいて、所定割合以上で前記演者が撮影されたことの検知で、
前記切替開始条件は、所定のフレームにおいて、所定割合以下で前記演者が撮影されたことの検知である
ことを特徴とする請求項４に記載の配信システム。
【請求項７】
前記切替開始条件は、前記演者のパフォーマンスに関する曲の所定のフレーズが出力されたことの検知で、
前記切替開始条件は、前記所定のフレーズが終了したことの検知である
ことを特徴とする請求項４に記載の配信システム。
【請求項８】
演者によるライブを撮影するライブ動画データを複数の端末に配信する配信システムに用いられる配信サーバであって、
前記配信システムは、
前記ライブの会場に設けられ、前記ライブを動画で撮影する第１のライブ動画データを出力する第１のカメラと、
前記ライブの会場に設けられ、前記演者の特定のシーンを撮影する第２のライブ動画データを出力する第２のカメラと、
前記第１のライブ動画データおよび前記第２のライブ動画データを配信する配信サーバと、
前記第１のライブ動画データを提供し、前記演者に対する応援アクションの指示を入力可能な複数の端末を備え、
前記端末は、前記応援アクションを入力していない通常端末または前記応援アクションを入力した応援端末であって、
前記配信サーバは、
前記応援端末または前記通常端末の区別を特定する端末属性データを記憶する記憶装置と、
前記端末属性データを参照して、前記通常端末に、前記第１のライブ動画データを配信し、前記応援端末に、前記第１のライブ動画データと、前記第２のライブ動画データを配信する配信手段を備える
ことを特徴とする配信サーバ。
【請求項９】
演者によるライブを撮影するライブ動画データを複数の端末に配信する配信システムに用いられる端末であって、
前記配信システムは、
前記ライブの会場に設けられ、前記ライブを動画で撮影する第１のライブ動画データを出力する第１のカメラと、
前記ライブの会場に設けられ、前記演者の特定のシーンを撮影する第２のライブ動画データを出力する第２のカメラと、
前記第１のライブ動画データおよび前記第２のライブ動画データを配信する配信サーバを備え、
前記端末は、
前記演者に対する応援アクションの指示を入力する応援入力手段と、
前記配信サーバから、前記第１のライブ動画データと前記第２のライブ動画データを受信し、前記応援入力手段によって前記応援アクションの指示が入力されていない場合、前記第１のライブ動画データを提供し、前記応援入力手段によって前記応援アクションの指示が入力された場合、前記第１のライブ動画データと前記第２のライブ動画データを提供する提供手段を備える
ことを特徴とする端末。
【請求項１０】
演者によるライブを撮影するライブ動画データを複数の端末に配信する配信システムの端末に用いられるプログラムであって、
前記配信システムは、
前記ライブの会場に設けられ、前記ライブを動画で撮影する第１のライブ動画データを出力する第１のカメラと、
前記ライブの会場に設けられ、前記演者の特定のシーンを撮影する第２のライブ動画データを出力する第２のカメラと、
前記第１のライブ動画データおよび前記第２のライブ動画データを配信する配信サーバを備え、
前記プログラムは、
コンピュータを、
前記演者に対する応援アクションの指示を入力する応援入力手段と、
前記配信サーバから、前記第１のライブ動画データと前記第２のライブ動画データを受信し、前記応援入力手段によって前記応援アクションの指示が入力されていない場合、前記第１のライブ動画データを提供し、前記応援入力手段によって前記応援アクションの指示が入力された場合、前記第１のライブ動画データと前記第２のライブ動画データを提供する提供手段として機能させることを特徴とするプログラム。